(57)【要約】【課題】電線接続箱本体への蓋の固定を迅速かつ確実に行うことができ、据付け作業の簡素化が図れるケーブルペネトレーション用電線接続箱を提供する。【解決手段】原子炉格納容器１を貫通するケーブルペネトレーション２に設けられた電線接続箱５が電線接続箱本体１１と蓋１２を有し、これら蓋１２と電線接続箱本体１１とを固定するロック錠２０を備えたケーブルペネトレーション用電線接続箱であって、前記ロック錠２０はロック錠取付固定部２１とロックハンドル２２とロックバー２３とロックバー引掛部２４とからなり、さらに前記ロック錠２０はロックハンドル２２に設けられたストッパ２７を有し、該ストッパ２７を前記ロック錠取付固定部２１に設けられたストッパ引掛部２８に引っ掛けることにより、前記蓋１２と電線接続箱本体１１の固定状態が保持される。【選択図】図１
2009284594.tif 000002
【特許請求の範囲】
【請求項１】
原子炉格納容器を貫通するケーブルペネトレーションに設けられた電線接続箱が電線接続箱本体と蓋を有し、これら蓋と電線接続箱本体とを固定するロック錠を備えたケーブルペネトレーション用電線接続箱であって、前記ロック錠はロック錠取付固定部とロックハンドルとロックバーとロックバー引掛部とからなり、さらに前記ロック錠はロックハンドルに設けられたストッパを有し、該ストッパを前記ロック錠取付固定部に設けられたストッパ引掛部に引っ掛けることにより、前記蓋と電線接続箱本体の固定状態が保持されることを特徴とするケーブルペネトレーション用電線接続箱。
【請求項２】
前記ロック錠がストッパ引掛部にストッパの引っ掛かった状態を解除するストッパ解除部材を有することを特徴とする請求項１記載のケーブルペネトレーション用電線接続箱。
【請求項３】
前記ロック錠がステンレスからなることを特徴とする請求項１又２に記載のケーブルペネトレーション用電線接続箱。
【請求項４】
前記ロック錠取付固定部、ロックハンドル及びロックバーが前記蓋に設けられ、前記ロックバー引掛部が電線接続箱本体に設けられることを特徴とする請求項１から３の何れかに記載のケーブルペネトレーション用電線接続箱。
【発明の詳細な説明】
【技術分野】
【０００１】
本発明は、原子力発電所内における原子炉格納容器の内外を電気的に接続するケーブルペネトレーション（電気配線貫通部）用電線接続箱に関するものである。
【背景技術】
【０００２】
図４はケーブルペネトレーションの構造を示す図である。図４に示すように、原子炉格納容器の内外を電気的に接続するために、原子炉格納容器１の壁１ａにはケーブルペネトレーション２が貫通して設けられている（例えば特許文献１参照）。このケーブルペネトレーション２は、放射線及び放射性物質の流出拡散を防止する機能を有し、原子炉格納容器全体として多数例えば１８０個程度設けられる。
【０００３】
前記ケーブルペネトレーション２の両端部には原子炉格納容器内のケーブル３と外部ケーブル４の接続を行うための電気接続箱５が設けられている。具体的には、ケーブルペネトレーション２は、原子炉格納容器１の壁１ａに貫通して設けられるペネトレーション本体である貫通スリーブ６からなり、この貫通スリーブ６の両端部にはフランジ７及びヘッダープレート８が設けられ、これらフランジ７及びヘッダープレート８に電線接続箱５がそれぞれ取付けられている。前記貫通スリーブ６内にはケーブル保護カバー９が設けられ、前記ヘッダープレート８にはケーブル３を複数本毎にまとめて接続するためのモジュール部１０が設けられている。
【０００４】
図５は従来のケーブルペネトレーション用電線接続箱を示す図で、（ａ）は正面図、（ｂ）は平面図、（ｃ）は側面図である。図５に示すように、電線接続箱５は、電線接続箱本体１１と、蓋１２とを有し、電気接続箱本体１１に対して蓋１２がボルト止め（ネジ止めを含む）により固定されている（例えば特許文献２参照）。図示例の電線接続箱５では、電線接続箱本体１１の正面及び左右両側面に設けられた図示しない開口部を塞ぐように蓋１２がそれぞれ取付けられている。電線接続箱本体１１には蓋１２の周囲に沿って適宜間隔でボルト１３がブラケット１４を介して起倒自在に取付けられ、蓋１２の周縁部には起立したボルト１３に螺合されたナット１５を受ける受け部１６が設けられている。なお、電線接続箱本体１１の背面部には前記貫通スリーブ６両端のフランジ７又はヘッダープレート８を接続する図示しない接続穴が設けられている。また、電線接続箱５は、鋼鉄製で重量が重いため、起重機で吊るためのアイボルト１７が設けられている。
【０００５】
【特許文献１】特開昭５９−１２０８９５号公報
【特許文献２】特開平１０−２８５７４６号公報
【発明の開示】
【発明が解決しようとする課題】
【０００６】
しかしながら、前記ケーブルペネトレーション用電線接続箱においては、電線接続箱本体１１と蓋１２の固定手段として、ボルト１３とナット１５を用いていたので、蓋１２の固定や取外しに手間が掛かるだけでなく、万が一、締め過ぎによりボルト１３とナット１５がかじり付いてしまうと、ボルト１３を破壊するしかなく、相当の手間と費用が掛かるという問題がある。
【０００７】
また、原子力発電所内原子炉格納容器内側は、階層構造になっていて、各階の床が格子状のグレーチングからなっているため、作業中にボルト１３やナット１５を落とすと、最下階まで落下するおそれがあり、その捜索が容易でなく、万が一、ボルトやナットを紛失した場合には、社会問題にもなる。
【０００８】
なお、原子炉格納容器周辺は、モータ等の稼動による微振動が常に生じており、この微振動により長期間の使用中に徐々にボルト１３とナット１５が緩むおそれもある。ケーブルペネトレーション及び電線接続箱の据付け（蓋の固定作業を含む）においては、原子炉格納容器周辺における作業スペースが狭く、かつケーブルペネトレーション等の重量が重く、据付け作業が大変であることから、据付け作業の簡素化が望まれている。
【０００９】
本発明は、前記課題を解決し、電線接続箱本体への蓋の固定を迅速かつ確実に行うことができ、据付け作業の簡素化が図れるケーブルペネトレーション用電線接続箱を提供することを目的とする。
【課題を解決するための手段】
【００１０】
前記目的を達成するために、本発明は、原子炉格納容器を貫通するケーブルペネトレーションに設けられた電線接続箱が電線接続箱本体と蓋を有し、これら蓋と電線接続箱本体とを固定するロック錠を備えたケーブルペネトレーション用電線接続箱であって、前記ロック錠はロック錠取付固定部とロックハンドルとロックバーとロックバー引掛部とからなり、さらに前記ロック錠はロックハンドルに設けられたストッパを有し、該ストッパを前記ロック錠取付固定部に設けられたストッパ引掛部に引っ掛けることにより、前記蓋と電線接続箱本体の固定状態が保持されることを特徴とする。
【００１１】
前記ロック錠がストッパ引掛部にストッパの引っ掛かった状態を解除するストッパ解除部材を有することが好ましい。
【００１２】
前記ロック錠がステンレスからなることが好ましい。
【００１３】
前記ロック錠取付固定部、ロックハンドル及びロックバーが前記蓋に設けられ、前記ロックバー引掛部が電線接続箱本体に設けられることが好ましい。
【発明の効果】
【００１４】
本発明によれば、電線接続箱本体への蓋の固定を迅速かつ確実に行うことができ、据付け作業の簡素化が図れる。
【発明を実施するための最良の形態】
【００１５】
以下に、本発明を実施するための最良の形態を添付図面に基づいて詳述する。図１は本発明の実施形態に係るケーブルペネトレーション用電線接続箱を示す図で、（ａ）は正面図、（ｂ）は側面図、（ｃ）は平面図である。
【００１６】
図１において、５は原子炉格納容器を貫通するケーブルペネトレーションに設けられた電線接続箱であり、この電線接続箱５は電線接続箱本体１１と蓋１２を有している。図示例の場合、電線接続箱本体１１の正面及び左右両側面に設けられた図示しない開口部を塞ぐように蓋１２がそれぞれ取付けられる。前記電線接続箱５は、蓋１２と電線接続箱本体１１とを固定する手段としてロック錠２０を備えている。図示例の場合、各蓋１２の左右の各側縁部に対してロック錠２０が上下に２個ずつ配置されている。前記ロック錠２０は錆の発生を防止するためステンレスからなることが好ましい。
【００１７】
図２はロック錠の一例を示す図で、（ａ）は正面図、（ｂ）は側面図、（ｃ）は平面図である。また図３はロック錠の各状態を説明する図で、（ａ）はロック状態の側面図、（ｂ）はストッパを解除した時の部分図、（ｃ）はロック解除状態の側面図である。
【００１８】
図２ないし図３に示すように、前記ロック錠２０は、ロック錠取付固定部２１とロックハンドル２２とロックバー２３とロックバー引掛部２４とからなり、図示例では、前記ロック錠取付固定部２１、ロックハンドル２２及びロックバー２３が前記蓋１２に設けられ、前記ロックバー引掛部２４が電線接続箱本体１１に設けられている。前記ロックバー引掛部２４は、ロックの際、ロックハンドル２２及びロックバー２３により強い引張力が加えられるため、蓋１２側よりも強度を有する本体１１側に設けることが好ましい。
【００１９】
ロック錠取付固定部２１は、ロック錠２０のベース部を構成しており、蓋１２の外面（図３では上面）に固定されている。このロック錠取付固定部２１の先端部にロックハンドル２２の先端部が支軸２５を介して回動可能に軸支され、ロックハンドル２２の後端部（自由端）を掴んで支軸２５を支点に図３（ｃ）に矢印Ｄで示すようにレバー状に回動操作できるようになっている。ロックハンドル２２の自由端をロック錠取付固定部２１の後端部から離反させて起立させた位置がロック解除位置Ａ（図３（ｃ）参照）であり、ロックハンドル２２の自由端をロック錠取付固定部２１の後端部に接近させて倒伏させた位置（ロックハンドルが蓋の外面と平行な状態）がロック位置Ｂ（図３（ａ）参照）である。
【００２０】
ロック錠取付固定部２１は、例えば図２（ａ）に示すように上部が開放された横断面Ｕ字状であり、図２（ａ）の紙面垂直方向に長く形成されていることが好ましい。ロックハンドル２２は、ロック錠取付固定部２１よりも大きい幅で下部が開放された横断面逆Ｕ字状であり、ロック錠取付固定部２１よりも長く形成されており、ロック錠取付固定部２１にロックハンドル２２が水平に覆いかぶさったロック状態で、ロックハンドル２２の自由端がロック錠取付固定部２１の後端部から後方へ延出されていることが操作性の点で好ましい。
【００２１】
ロックバー２３は、図２（ａ）に示すように方形リング状ないし方形Ｃ字状に形成されており、その基端側の両端部が前記ロックハンドル２２の先端側の両側部に回動自在に軸支されている。この場合、ロックバー２３の軸支部２３ａの位置は、ロックハンドル２２の支軸２５と自由端との間における支軸２５寄りに設定されていることが好ましく、そのレバー比でロックハンドル２２をロック解除位置Ａからロック位置Ｂに回動操作する際に、軽い操作力でロックバー２３（詳しくはその自由端側部分）をロックバー引掛部２４に引っ掛けて大きな引張力をロックバー２３に付与できるようになっている。
【００２２】
ロックバー引掛部２４は、電線接続箱本体１１の外面においてロックハンドル２０と対応する位置に固定されている。ロックバー引掛部２４は、電線接続箱本体１１の外面に起立して設けられ、その前面側（図３（ｃ）の左側）にはロックバー２３を引っ掛ける引掛溝２６が形成されている。この引掛溝２６は、ロックハンドル２２の支軸２５よりも前方斜め下方に位置され、前方斜め下方に向かって開口形成されていることが好ましい。また、ロックハンドル２２をロック解除位置Ａからロック位置Ｂに回動したときに、ロックバー２３が支軸２５の位置を外側から内側に越えることにより、ロックバー２３の引張力でロックハンドル２２がロック位置Ｂに付勢されてロック状態となり、ロックハンドル２２がロック解除位置Ａ側へ戻らないようになっている。
【００２３】
万が一、振動により前記ロック状態が解除されるのを防止するために、図３に示すように前記ロック錠２０のロックハンドル２２にはストッパ２７が設けられ、該ストッパ２７を前記ロック錠取付固定部２１に設けられたストッパ引掛部２８に引っ掛けることにより、ロック状態が維持すなわち前記蓋１２と電線接続箱本体１１の固定状態が強固に保持されるようになっている。また、前記電線接続箱５内の保守点検等により蓋１２を開ける必要が生じた場合に、前記ロック状態を容易に解除可能とするために、前記ロック錠２０には、ストッパ引掛部２８にストッパ２７の引っ掛かった状態を解除するストッパ解除部材２９が設けられていることが好ましい。
【００２４】
前記ロックハンドル２２の長手方向略中間部にはその両側壁間に前記ストッパ２７が支軸３０を介してロックハンドル２２の長手方向に揺動自在に軸支され、前記ロック錠取付固定部２１の後端部にはその両側壁間に軸状の前記ストッパ引掛部２８が設けられている。前記ストッパ２７としては、鉤状構造のものが使用できる。ストッパ２７は、ストッパ引掛部２８に向かって延出されており、ストッパ２７の背面側（図３（ｃ）の右側）にはストッパ引掛部２８に引っ掛かる引掛溝３１が形成され、ストッパ２７の先端部から引掛溝３１にかけてストッパ引掛部２８を導く傾斜部３２が形成されていることが好ましい。また、前記支軸３０にはストッパ２７をストッパ引掛部２８に係合させる方向（図３（ａ）で反時計回り）に付勢するバネ３３が設けられていることが好ましい（図２（ａ）参照）。
【００２５】
前記ストッパ解除部材２９は、ストッパ２７に設けられている。ストッパ解除部材２９は支軸３０を挟んでストッパ２７とは反対側に突出して設けられている。前記ロックハンドル２２の上面部には、ストッパ解除部材２９が突出した状態でロックハンドル２２の長手方向に沿って動くことができる開口部３４が設けられている。ストッパ解除部材２９はバネ３３の付勢力で開口部３４の前端縁に当接された待機位置にあり（図２（ｃ）参照）、ストッパ解除部材２９をバネ３３の付勢力に抗して図３（ｂ）に矢印Ｃで示すように後方に操作することにより、ストッパ２７をストッパ引掛部２８から離反させてストッパ２７のロック状態を解除できるようになっている。
【００２６】
以上の構成からなるケーブルペネトレーション用電線接続箱５によれば、ロック錠２０のロックバー２３をロックバー引掛部２４に引っ掛け、ロックハンドル２２をロック解除位置Ａからロック位置Ｂに回動操作することによりロックさせることができる。その際に、ロックハンドル２２に設けられたストッパ２７が、ロック錠取付固定部２１に設けられたストッパ引掛部２８に引っ掛かることにより、電線接続箱本体１１に対して蓋１２をより強固に安定して固定することができ、ロック錠２０のロックが振動で外れるおそれはない。また、ロック錠２０のロックを外す場合には、ストッパ解除部材２９の操作でストッパ２７をストッパ引掛部２８から解除した状態でロックハンドル２２をロック位置Ｂからロック解除位置Ａに回動操作すればよく、ロック錠２０のロックを容易に外すことができる。
【００２７】
このように、ケーブルペネトレーション用電線接続箱５によれば、蓋１２と電線接続箱本体１１とを固定するロック錠２０がロック錠取付固定部２１とロックハンドル２２とロックバー２３とロックバー引掛部２４とからなり、さらに前記ロック錠２０がロックハンドル２２に設けられたストッパ２７を有し、該ストッパ２７を前記ロック錠取付固定部２１に設けられたストッパ引掛部２８に引っ掛けることにより、前記蓋１２と電線接続箱本体１１の固定状態が保持されるため、電線接続箱本体１１への蓋１２の固定を迅速かつ確実に行うことができ、据付け作業の簡素化が図れる。
【００２８】
すなわち、ロック錠２０を採用しているため、ボルト止めと異なり、ワンタッチで蓋１２を電線接続箱本体１１に固定することができ、ボルトのかじり付きやボルトの脱落などの問題がなく、作業時間を大幅に短縮できるため、放射線管理区域での作業者の負担を軽減することができる。また、前記ロック錠２０がステンレスからなっているため、錆の発生を防止でき、メッキと異なり、剥がれが生じるおそれもない。
【００２９】
以上、本発明の実施の形態を図面により詳述してきたが、本発明は前記実施の形態に限定されるものではなく、本発明の要旨を逸脱しない範囲での種々の設計変更が可能である。
【図面の簡単な説明】
【００３０】
【図１】本発明の実施形態に係るケーブルペネトレーション用電線接続箱を示す図で、（ａ）は正面図、（ｂ）は側面図、（ｃ）は平面図である。
【図２】ロック錠の一例を示す図で、（ａ）は正面図、（ｂ）は側面図、（ｃ）は平面図である。
【図３】ロック錠の各状態を説明する図で、（ａ）はロック状態の側面図、（ｂ）はストッパを解除した時の部分図、（ｃ）はロック解除状態の側面図である。
【図４】ケーブルペネトレーションの構造を示す図である。
【図５】従来のケーブルペネトレーション用電線接続箱を示す図で、（ａ）は正面図、（ｂ）は平面図、（ｃ）は側面図である。
【符号の説明】
【００３１】
１  原子炉格納容器
２  ケーブルペネトレーション
５  電線接続箱
２０  ロック錠
２１  ロック錠取付固定部
２２  ロックハンドル
２３  ロックバー
２４  ロックバー引掛部
２７  ストッパ
２８  ストッパ引掛部
２９  ストッパ解除部材
【図１】
2009284594.tif 000003
【図２】
2009284594.tif 000004
【図３】
2009284594.tif 000005
【図４】
2009284594.tif 000006
【図５】
2009284594.tif 000007